(57)【要約】【課題】固定向け放送と移動体向け放送のうち固定向け放送の受信を出来るだけ維持しながら映像音声の出力自体を維持し、この出力される映像音声の乱れを防ぐ。【解決手段】固定向け放送デコーダ９がデコード処理した固定向け放送の各シーンの情報と移動体向け放送デコーダ１０がデコード処理した移動体向け放送の各シーンの情報を副記憶装置１２に記憶して、これを映像音声合成部１３に出力する。映像音声合成部１３は、固定向け放送の一シーンの情報の受信電界レベルの大小にもとづいて、当該シーンと対応する情報に欠損があるか否かを判別する。この結果、欠損があると認められる場合には、このシーンと対応する情報に代えて、同一シーンの移動体向け放送の情報を前のシーンの情報と連続させて表示制御部１４および音声処理部１６に出力する。【選択図】      図１
2006340086.tif 000002
【特許請求の範囲】
【請求項１】
固定向けディジタル放送電波を受信・選局する第１の受信選局手段と、
移動体向けディジタル放送電波を受信・選局する第２の受信選局手段と、
前記第１の受信選局手段が選局した放送電波に含まれる情報および前記第２の受信選局手段が選局した放送電波に含まれる情報のいずれかを再生する再生手段と、
前記第１の受信選局手段が選局した放送電波に含まれる情報の品質が予め定められた条件を満たすか否かを判別する判別手段と、
前記条件を満たしていないと前記判別手段が判別した情報と対応する情報を前記第２の受信選局手段が選局した放送電波に含まれる情報から抽出する抽出手段と、
前記抽出手段により抽出した情報を前記第１の受信選局手段が選局した放送電波に含まれる情報のうち前記条件を満たしていないと前記判別手段が判別した情報の再生タイミングで前記再生手段に再生させる制御を行なう制御手段と
を備えたことを特徴とするディジタル放送受信装置。
【請求項２】
前記抽出手段により抽出した情報の形式を前記固定向け放送の放送形式と適合する形式に変換する変換手段をさらに備え、
前記制御手段は、前記変換手段により変換した情報を前記第１の受信選局手段が選局した放送電波に含まれる情報のうち前記条件を満たしていないと前記判別手段が判別した情報の再生タイミングで前記再生手段に再生させる制御を行なうことを特徴とする請求項１に記載のディジタル放送受信装置。
【請求項３】
前記第１の受信選局手段により受信した前記固定向けディジタル放送電波の受信電界レベルを検出する検出手段をさらに備え、
前記判別手段は、前記検出手段により検出した受信電界レベルの大小に基づいて前記第１の受信選局手段が選局した放送電波に含まれる情報の品質が前記条件を満たすか否かを判別することを特徴とする請求項１に記載のディジタル放送受信装置。
【請求項４】
前記第１の受信選局手段により受信した前記固定向けディジタル放送電波の復調にかかる誤り訂正率を検出する検出手段をさらに備え、
前記判別手段は、前記検出手段により検出した誤り訂正率の大小に基づいて前記第１の受信選局手段が選局した放送電波に含まれる情報の品質が予め定められた条件を満たすか否かを判別することを特徴とする請求項１に記載のディジタル放送受信装置。
【請求項５】
前記第１の受信選局手段が選局した放送電波に含まれる番組の各シーンと対応する情報および前記第２の受信選局手段が選局した放送電波に含まれる番組の各シーンと対応する情報は固有の識別情報を含み、
前記判別手段は、前記第１の受信選局手段が選局した放送電波に含まれる情報の品質が予め定められた条件を満たすか否かを前記識別情報をもとに前記シーンごとに判別し、
前記第１の受信選局手段が選局した放送電波に含まれる各シーンのうち前記条件を満たさないと前記判別手段が判別したシーンに固有の識別情報を取得する取得手段をさらに備え、
前記抽出手段は、前記第２の受信選局手段が選局した放送電波に含まれる各シーンのうち前記取得手段が取得した識別情報を含むシーンと同一のシーンである事を示す識別情報を含むシーンと対応する情報を抽出し、
前記制御手段は、前記抽出手段により抽出した情報を前記第１の受信選局手段が選局した放送電波に含まれる各シーンのうち前記条件を満たしていないと前記判別手段が判別したシーンと対応する情報の再生タイミングで前記再生手段に再生させる制御を行なうことを特徴とする請求項１に記載のディジタル放送受信装置。
【発明の詳細な説明】
【技術分野】
【０００１】
本発明は、移動体向け放送の電波を受信する機能を有するディジタル放送受信装置に関する。
【背景技術】
【０００２】
従来、例えば特許文献１に開示されたように、固定向け放送と移動体向け放送をともに受信するディジタル放送受信装置がある。固定向け放送は映像および音声のビットレートが移動体向け放送の映像および音声のビットレートより高い。しかし移動体向け放送の映像および音声は周囲の環境が多少悪くとも受信が可能である。つまり、固定向け放送が受信できない場合でも移動体向け放送であれば受信できる場合がある。前述したディジタル放送受信装置は、固定向け放送と移動体向け放送のサイマル放送が行われている場合で固定向け放送が受信できないが移動体向け放送が受信できている場合には、受信する放送を移動体向け放送に切り替え、固定向け放送が再び受信できる状態となった場合には受信する放送を固定向け放送に切り替える。
【特許文献１】特開２００４−１６６１７３号公報
【発明の開示】
【発明が解決しようとする課題】
【０００３】
前述した手法では受信する放送を受信状態をもとに固定向け放送と移動体向け放送の間で切り替えることで固定向け放送の受信を出来るだけ維持しながら映像音声の出力自体を維持することができるが、この切り替えの開始から完了までには一定の時間を要する。よって、この出力される映像及び音声が前述した切り替え時に乱れてしまう。
【０００４】
そこで、本発明の目的は、固定向け放送と移動体向け放送のうち固定向け放送の受信を出来るだけ維持しながら映像音声の出力自体を維持し、この出力される映像音声の乱れを防ぐことが可能になるディジタル放送受信装置を提供することにある。
【課題を解決するための手段】
【０００５】
すなわち、本発明に係わるディジタル放送受信装置は、固定向けディジタル放送電波を受信・選局する第１の受信選局手段と、移動体向けディジタル放送電波を受信・選局する第２の受信選局手段と、第１の受信選局手段が選局した放送電波に含まれる情報および第２の受信選局手段が選局した放送電波に含まれる情報のいずれかを再生する再生手段とを備え、第１の受信選局手段が選局した放送電波に含まれる情報の品質が予め定められた条件を満たすか否かを判別し、この条件を満たしていないと判別された情報と対応する情報を第２の受信選局手段が選局した放送電波に含まれる情報から抽出し、この抽出した情報を第１の受信選局手段が選局した放送電波に含まれる情報のうち前述した条件を満たしていないと判別された情報の再生タイミングで再生手段に再生させる制御を行なうことを特徴とする。
【発明の効果】
【０００６】
本発明に係わるディジタル放送受信装置では、固定向けディジタル放送電波を受信・選局する第１の受信選局手段と、移動体向けディジタル放送電波を受信・選局する第２の受信選局手段と、第１の受信選局手段が選局した放送電波に含まれる情報および第２の受信選局手段が選局した放送電波に含まれる情報のいずれかを再生する再生手段とを備え、第１の受信選局手段が選局した放送電波に含まれる情報の品質が予め定められた条件を満たすか否かを判別し、この条件を満たしていないと判別された情報と対応する情報を第２の受信選局手段が選局した放送電波に含まれる情報から抽出し、この抽出した情報を第１の受信選局手段が選局した放送電波に含まれる情報のうち前述した条件を満たしていないと判別された情報の再生タイミングで再生手段に再生させる制御を行なうので、固定向け放送と移動体向け放送のうち固定向け放送の受信を出来るだけ維持しながら映像音声の出力自体を維持し、この出力される映像音声の乱れを防ぐことができる。
【発明を実施するための最良の形態】
【０００７】
以下図面により本発明の実施形態について説明する。  
図１は、本発明の実施形態にしたがったディジタル放送受信装置の構成例を示すブロック図である。
【０００８】
このディジタル放送受信装置は室内または車載用の放送受信装置である。このディジタル放送受信装置は例えば地上波ディジタルテレビ放送などのディジタル方式の放送電波を受信して、この放送電波に含まれる映像信号および音声信号に対するデコード処理を行ない、映像情報のモニタ表示および音声情報のスピーカ出力を行なう機能を有する。
【０００９】
ディジタル方式の放送電波は固定向け放送の放送電波と移動体向け放送の放送電波に分類される。固定向け放送の放送電波に含まれる画像情報および音声情報のビットレートは移動体向け放送の放送電波に含まれる画像情報および音声情報のビットレートと比較して高い。
【００１０】
また、ディジタル放送受信装置により受信する固定向け放送の放送電波の電界レベルが予め定められた閾値を下回ると映像および音声の出力が全く出来なくなる。一方ディジタル放送受信装置により受信する移動体向け放送の放送電波の電界レベルが予め定められた閾値を下回ると映像および音声の出力が全く出来なくなる。しかし前述した移動体向け放送の受信にかかる閾値は固定向け放送の受信にかかる電界レベルの閾値と比較して高い。つまり固定向け放送の受信が出来なくても移動体向け放送の受信であれば可能な場合がある。
【００１１】
本発明の実施形態にしたがったディジタル放送受信装置は制御部１、アンテナ２，３、チューナ４，５、ＯＦＤＭ復調部６，７、ストリームデータプロセッサ８、固定向け放送デコーダ９および移動体向け放送デコーダ１０を備える。
【００１２】
制御部１はディジタル放送受信装置全体の処理動作を司る。アンテナ２は放送局からＯＦＤＭ（直交周波数分割多重変調：Orthogonal Frequency Division Multiplex）方式より変調されて送信された固定向け放送の放送電波を受信する。チューナ４はアンテナ２が受信した放送電波から予め選択した放送局の電波を選局する。ＯＦＤＭ復調部６はチューナ４による選局により得られた信号を復調する。
【００１３】
アンテナ３は放送局からＯＦＤＭ方式より変調されて送信された移動体向け放送の放送電波を受信する。チューナ５はアンテナ３が受信した放送電波から予め選択した放送局の電波を選局する。ＯＦＤＭ復調部７はチューナ５による選局により得られた信号を復調する。
【００１４】
ストリームデータプロセッサ８はＯＦＤＭ復調部６が復調した信号を固定向け放送デコーダ９に出力する。また、ストリームデータプロセッサ８はＯＦＤＭ復調部７が復調した信号を移動体向け放送デコーダ１０に出力する。
【００１５】
固定向け放送デコーダ９はＯＦＤＭ復調部６が復調した信号のデコード処理を行なう。移動体向け放送デコーダ１０はＯＦＤＭ復調部７が復調した信号のデコード処理を行なう。
【００１６】
本発明の実施形態にしたがったディジタル放送受信装置は主記憶装置１１、副記憶装置１２、映像音声合成部１３、表示制御部１４、表示装置（モニタ）１５、音声処理部１６および音声出力部（スピーカ）１７をさらに備える。
【００１７】
前述した制御部１、ストリームデータプロセッサ８、主記憶装置１１、副記憶装置１２、映像音声合成部１３、表示制御部１４および音声処理部１６はバス１８を介して相互に接続される。
【００１８】
主記憶装置１１は制御部１による制御に係る制御用データを記憶する。副記憶装置１２は固定向け放送デコーダ９によりデコード処理した情報および移動体向け放送デコーダ１０によりデコード処理した情報を一時記憶する。
【００１９】
映像音声合成部１３は固定向け放送デコーダ９によりデコード処理した情報と移動体向け放送デコーダ１０によりデコード処理した情報との合成を必要に応じて行なう。  
表示制御部１４はモニタ表示対象の映像情報のＤ／Ａ変換などの処理を行ない、この処理後の画像信号を表示装置１５に出力する。音声処理部１６は出力対象の音声情報のＤ／Ａ変換や増幅処理を行ない、この処理後の音声信号を音声出力部１７に出力する。
【００２０】
図２は、本発明の実施形態にしたがったディジタル放送受信装置の映像音声合成部の内部回路の構成例を示すブロック図である。  
映像音声合成部１３は読込制御部２１，２２、受信エラー検出部２３、補正部２４および合成部２５を備える。
【００２１】
読込制御部２１は固定向け放送のデコード済み情報を入力する。読込制御部２２は移動体向け放送のデコード済み情報を入力する。受信エラー検出部２３は固定向け放送のデコード済み情報に欠損が認められるか否かを検出する。
【００２２】
補正部２４は読込制御部２２が入力した情報に含まれる映像情報および音声情報の形式を固定向け放送に適合した形式に変換する。合成部２５は必要に応じて読込制御部２１からの情報および補正部２４からの情報の合成を行なう。
【００２３】
次に本発明の実施形態にしたがったディジタル放送受信装置の動作について説明する。
図３は、本発明の実施形態にしたがったディジタル放送受信装置の処理動作の一例を示すフローチャートである。  
ここではチューナ２，３は同一チャンネルの放送電波を選局しており、チューナ２が選局した固定向け放送の番組内容はチューナ３が選局した移動体向け放送の番組内容と同一であると仮定する。このような放送形態はサイマル放送と呼ばれる。
【００２４】
チューナ４は固定向け放送電波の受信電界レベルを検出する。チューナ４は、この検出した受信電界レベルを示す信号を当該検出時に選局した信号とともにＯＦＤＭ復調部６に出力する。
【００２５】
また、チューナ５は移動体向け放送電波の受信電界レベルを検出する。チューナ５はこの検出した受信電界レベルを示す信号を当該検出時に選局した信号とともにＯＦＤＭ復調部７に出力する。
【００２６】
固定向け放送デコーダ９はアンテナ２、チューナ４、ＯＦＤＭ復調部６およびストリームデータプロセッサ８を介して入力した固定向け放送の復調後の信号のデコード処理を行なう。
【００２７】
また、移動体向け放送デコーダ１０はアンテナ３、チューナ５、ＯＦＤＭ復調部７およびストリームデータプロセッサ８を介して入力した移動体向け放送の復調後の信号のデコード処理を行なう（ステップＳ１）。
【００２８】
固定向け放送デコーダ９はデコード処理を行なった情報を予め定められたタイミングで区分したシーンごとに連続させて副記憶装置１２に出力する。また、移動体向け放送デコーダ１０はデコード処理を行なった情報を前述したシーンごとに連続させて副記憶装置１２に出力する（ステップＳ２）。
【００２９】
固定向け放送デコーダ９から出力された各シーンと対応する情報は番組の各シーンに固有の識別ナンバ、当該シーンの受信電界レベルの情報および放送種別が固定向け放送である事を示す情報を含む。
【００３０】
各シーンの区分タイミング、識別ナンバおよび放送種別を示す情報は放送電波に予め含まれる情報である。固定向け放送の番組の各シーンの受信電界レベルは固定向け放送デコーダ９が各シーンと対応する情報のデコード処理時刻、チューナ４からの受信電界レベルの情報の入力時の現在時刻に基づいて計算する。ここでは一シーンの情報のデコード処理時刻および当該シーンの受信電界レベルの情報の入力時刻は同じであるとする。
【００３１】
また、移動体向け放送デコーダ１０から出力された各シーンと対応する情報は番組の各シーンに固有の識別ナンバ、当該シーンの受信電界レベルの情報および放送種別が移動体向け放送である事を示す情報を含む。移動体向け放送の番組の各シーンの受信電界レベルは移動体向け放送デコーダ１０が各シーンと対応する情報のデコード処理時刻、チューナ５からの受信電界レベルの情報およびこの情報の入力時の現在時刻に基づいて計算する。
【００３２】
前述したデコード処理時刻や受信電界レベルの情報の入力時刻は固定向け放送デコーダ９や移動体向け放送デコーダ１０によるデコード処理時や受信電界レベルの入力時に制御部１が計時してもよいし、放送電波に予め各シーンに対応する時刻情報を含ませ、この時刻情報をもとに固定向け放送デコーダ９や移動体向け放送デコーダ１０が計算してもよい。
【００３３】
受信電界レベルの情報は数値で示される。また、連続したシーンとそれぞれ対応するシーン識別ナンバの値は連続した整数であるとする。
【００３４】
図４は、本発明の実施形態にしたがったディジタル放送受信装置が受信する同一チャンネルの固定向け放送および移動体向け放送の番組の各シーンの区分の一例を示す図である。  
図４に示した例では同一チャンネルの固定向け放送と移動体向け放送における同一内容のシーンに同一のシーン識別ナンバを対応させる。
【００３５】
具体的には“００００１”が固定向け放送および移動体向け放送の“シーン１”のシーン識別ナンバとして対応し、“００００２”が固定向け放送および移動体向け放送の“シーン２”のシーン識別ナンバとして対応しる。また、“００００３”が固定向け放送および移動体向け放送の“シーン３”のシーン識別ナンバとして対応し、“００００４”が固定向け放送および移動体向け放送の“シーン４”のシーン識別ナンバとして対応する。
【００３６】
図４では移動体向け放送の”シーン１”、これに続く”シーン２”、これに続く”シーン３”、これに続く”シーン４”と対応する情報に欠損がない事を示す。また、図４では固定向け放送の”シーン１”、”シーン２”、”シーン４”とそれぞれ対応する情報に欠損はないが固定向け放送の”シーン３”と対応する情報に欠損が存在することを示す。
【００３７】
副記憶装置１２は固定向け放送の１分間に相当する各シーンと対応する情報および移動体向け放送の１分間に相当する各シーンと対応する情報を一時的に記憶する。  
制御部１は副記憶装置１２に記憶される固定向け放送の各シーンと対応する情報を古い情報から順番に連続させて映像情報音声部１３に出力する。また、制御部１は副記憶装置１２に記憶される移動体向け放送の各シーンと対応する情報を古い情報から順番に連続させて映像情報合成部１３に出力する。
【００３８】
映像音声合成部１３の読込制御部２１は副記憶装置１２からの固定向け放送の情報を一シーンと対応する情報ごとに連続して入力する。受信エラー検出部２３は読込制御部２１が入力した各シーンの情報に含まれるシーン識別ナンバと受信電界レベルの数値をあわせて取得する（ステップＳ３）。  
受信エラー検出部２３はステップＳ３の処理でシーン識別ナンバとともに取得した受信電界レベルの数値が予め定められた数値未満であるか否かを判別する（ステップＳ４）。
【００３９】
受信エラー検出部２３はステップＳ３の処理で取得した受信電界レベルの数値が予め定められた数値以上であると判別した場合には、この受信電界レベルと対応するシーンの情報にユーザによる正常な視聴にかかる欠損が無いとみなす（ステップＳ４のＮＯ）。
【００４０】
すると受信エラー検出部２３は読込制御部２１が入力した情報に欠損が無いことを示す信号を前述したように取得したシーン識別ナンバの情報と対応付けて合成部２５に出力し、読込制御部２１に対する出力指示を行なう。この出力指示はステップＳ４の処理において受信電界レベルの情報とともに取得したシーン識別ナンバの情報を含む。
【００４１】
読込制御部２１は受信エラー検出部２３からの指示で示されるシーン識別ナンバと同一のナンバが対応付けられた固定向け放送の一シーンと対応する情報を合成部２５に出力する。
【００４２】
合成部２５は、受信エラー検出部２３からの制御信号が読込制御部２１が入力した情報に欠損が無いことを示す信号であった場合で、この信号に含まれるシーン識別ナンバが対応付けられた情報を読込制御部２１から入力した場合には、この情報に含まれる映像情報を表示制御部１４に出力する。この場合、合成部２５は読込制御部２１から前述のように入力した情報に含まれる音声情報を音声処理部１６に出力する。合成部２５から表示制御部１４に出力される各シーンの映像情報および合成部２５から音声処理部１６に出力される各シーンの音声情報は連続する。
【００４３】
表示制御部１４は映像音声合成部１３からの映像情報を表示装置１５に出力する。また、音声処理部１６は映像音声合成部１３からの音声情報を音声出力部１７に出力する。（ステップＳ５）
一方、受信エラー検出部２３は、ステップＳ３の処理でシーン識別ナンバとともに取得した受信電界レベルの数値が予め定められた数値未満であると判別した場合には、この受信電界レベルの情報が対応付けられるシーンの情報にユーザによる正常な視聴にかかる欠損があるとみなす（ステップＳ４のＹＥＳ）。
【００４４】
この場合、受信エラー検出部２３は読込制御部２１が入力した情報に欠損があることを示す信号を前述したように取得したシーン識別ナンバの情報と対応付けて合成部２５に出力し、読込制御部２２に対する出力指示を行なう。この出力指示はステップＳ４の処理において受信電界レベルの情報とともに取得したシーン識別ナンバの情報を含む。
【００４５】
読込制御部２２は受信エラー検出部２３からの指示で示されるシーン識別ナンバと同一のナンバが対応付けられた移動体向け放送の一シーンと対応する情報を補正部２４に出力する（ステップＳ６）。
【００４６】
補正部２４は、読込制御部２２からの移動体向け放送の映像音声情報に含まれる映像の解像度および音声のサンプリング周波数などを固定向け放送と適合した形式に変換し、これを合成部２５に出力する（ステップＳ７）。
【００４７】
合成部２５は、受信エラー検出部２３からの制御信号が読込制御部２１が入力した情報に欠損があることを示す信号であった場合で、この信号に含まれるシーン識別ナンバが対応付けられた情報を読込制御部２２から入力した場合には、この情報に含まれる映像情報を表示制御部１４に出力する。この場合、合成部２５は読込制御部２２から前述のように入力した情報に含まれる音声情報を音声処理部１６に出力する。
【００４８】
合成部２５から表示制御部１４に出力される各シーンの映像情報および合成部２５から音声処理部１６に出力される各シーンの音声情報は連続する。図４に示した各シーンを例にとると、固定向け放送の欠損のない“シーン２”と対応する映像音声、固定向け放送の補正を行なった“シーン３”と対応する映像音声および固定向け放送の欠損の無い“シーン４”と対応する映像音声が連続して表示装置１５および音声出力部１７に出力される。
【００４９】
以上のように、本発明の実施形態にしたがったディジタル放送受信装置では、固定向け放送各シーンのうち欠損があるシーンの情報に代えて、同一シーンの移動体向け放送の情報を出力する。加えて、受信した各シーンの情報を副記憶装置１２に記憶し、この記憶した情報のうち欠損がある情報を欠損のない情報に置き換えてから表示装置１５および音声出力部１７に出力するので、表示装置１５に表示される映像および音声出力部１７により出力される音声に乱れが生じない。よって、受信環境が悪くなって固定向け放送を正常に受信できない環境となった場合でも、移動体向け放送を正常に受信できる環境であればユーザはテレビ放送の視聴自体を継続することができる。
【００５０】
以上説明した実施形態では、固定向け放送の一シーンと対応する情報に欠損があるか否かをこの情報の受信電界レベルに基づいて判別する構成としたが、これに限らず、ＯＦＤＭ復調部６が復調時の誤り訂正率を検出し、各シーンの誤り訂正率を固定向け放送デコーダ９がＯＦＤＭ復調部６からの受信電界レベルの情報と現在時刻に基づいて計算する。そして受信エラー検出部２３はこの誤り訂正率の大小に基づいて固定向け放送の一シーンと対応する情報に欠損があるか否かを判別する構成としてもよい。
【００５１】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５２】
【図１】本発明の実施形態にしたがったディジタル放送受信装置の構成例を示すブロック図。
【図２】本発明の実施形態にしたがったディジタル放送受信装置の映像音声合成部の内部回路の構成例を示すブロック図。
【図３】本発明の実施形態にしたがったディジタル放送受信装置の処理動作の一例を示すフローチャート。
【図４】本発明の実施形態にしたがったディジタル放送受信装置が受信する同一チャンネルの固定向け放送および移動体向け放送の番組の各シーンの区分の一例を示す図。
【符号の説明】
【００５３】
１…制御部、２，３…アンテナ、４，５…チューナ、６，７…ＯＦＤＭ復調部、８…ストリームデータプロセッサ、９…固定向け放送デコーダ、１０…移動体向け放送デコーダ、１１…主記憶装置、１２…副記憶装置、１３…映像音声合成部、１４…表示制御部、１５…表示装置（モニタ）、１６…音声処理部、１７…音声出力部、１８…バス、２１，２２…読込制御部、２３…受信エラー検出部、２４…補正部、２５…合成部。
【図１】
2006340086.tif 000003
【図２】
2006340086.tif 000004
【図３】
2006340086.tif 000005
【図４】
2006340086.tif 000006